(57)【要約】【課題】  過去に注文が行われた画像を正確に判別する。【解決手段】  過去に注文が行われた画像に係る画像データファイルはアーカイブ部に記憶される。そして、メディアドライブによって読み出された画像データファイルに係る画像と、アーカイブ部に記憶された画像データファイルに係る画像とが比較されることによって、メディアドライブによって読み出された画像データファイルに係る画像の中から過去に注文が行われた画像と類似したリプリント画像が判別される。【選択図】図１８
2006323123.tif 000002
【特許請求の範囲】
【請求項１】
写真プリントの注文を受け付けるプリント注文受付装置において、
記録媒体に記録された画像データファイルを読み出すための読み出し部と、
過去に注文が行われた画像に係る画像データファイルを記憶するアーカイブ手段と、
前記読み出し部によって読み出された画像データファイルに係る画像と、前記アーカイブ手段によって記憶された画像データファイルに係る画像とを比較する比較手段と、
前記比較手段による比較結果に基づいて、前記読み出し部によって読み出された画像データファイルに係る画像の中から、過去に注文が行われた画像と類似したリプリント画像を判別する判別手段と、
前記読み出し部によって読み出された前記画像データファイルに係る画像のうち、前記判別手段によってリプリント画像と判別された画像及び前記判別手段によってリプリント画像と判別されなかった画像のいずれか一方を含む注文画面をディスプレイに表示させる注文画面表示制御手段とを備えていることを特徴とするプリント注文受付装置。
【請求項２】
前記注文画面表示制御手段が、前記読み出し部によって読み出された前記画像データファイルに係る画像のうち、前記判別手段によってリプリント画像と判別された画像及び前記判別手段によってリプリント画像と判別されなかった画像の他方を含む注文画面をディスプレイに表示させることを特徴とする請求項１に記載のプリント注文受付装置。
【請求項３】
前記読み出し部によって読み出された複数の前記画像データファイル及び前記アーカイブ手段によって記憶された複数の前記画像データファイルに対して画像認識処理を行う画像認識手段をさらに備えており、
前記判別手段は、前記画像認識手段によって行われた画像認識処理の結果を用いて、前記読み出し部によって読み出された画像データファイルに係る画像の中からリプリント画像を判別することを特徴とする請求項１または２に記載のプリント注文受付装置。
【請求項４】
前記読み出し部によって読み出された画像データファイルに係る画像と、前記アーカイブ手段によって記憶された画像データファイルに係る画像との間の類似度を示す評価データを計算する評価データ計算手段をさらに備えており、
前記判別手段は、前記読み出し部によって読み出された画像データファイルに係る画像のうち、前記評価データ計算手段によって計算された評価データが閾値以上である画像をリプリント画像と判別することを特徴とする請求項１〜３のいずれか１項に記載のプリント注文受付装置。
【請求項５】
写真プリントの注文を受け付けるプリント注文受付方法において、
記録媒体に記録された画像データファイルを読み出す読み出しステップと、
前記読み出しステップにおいて読み出された画像データファイルに係る画像と、過去に注文が行われた画像とを比較する比較ステップと、
前記比較ステップにおける比較結果に基づいて、前記読み出しステップにおいて読み出された画像データファイルに係る画像の中から、過去に注文が行われた画像と類似したリプリント画像を判別する判別ステップと、
前記読み出しステップにおいて読み出された前記画像データファイルに係る画像のうち、前記判別ステップにおいてリプリント画像と判別された画像及び前記判別ステップにおいてリプリント画像と判別されなかった画像のいずれか一方を含む注文画面をディスプレイに表示させる注文画面表示ステップと、
前記注文画面に含まれる画像に対して注文情報の入力を受け付ける注文情報入力受付ステップとを備えていることを特徴とするプリント注文受付方法。
【発明の詳細な説明】
【技術分野】
【０００１】
本発明は、顧客から写真プリントの注文を受け付けるプリント注文受付装置及びプリント注文受付方法に関するものである。
【背景技術】
【０００２】
近年のデジタルカメラの普及に伴い、デジタルカメラで撮影された画像データを、従来からの写真処理装置を用いて銀塩印画紙等に対して高い品質でプリントする要望が高まっている。従って、写真店には、複数のデジタル画像受付装置と写真プリント装置とを備えたデジタル画像処理システムが設置されることが一般的になってきている（例えば、特許文献１参照）。このシステムでは、顧客によってデジタルカメラで撮影された画像データが保存されたメディアがセットされ、受付装置のタッチパネル方式のディスプレイに表示された注文画面を見ながら、プリント枚数などの種々の指定を含むプリント注文が行われると、その注文に対応したプリント処理が写真処理装置で行われる。そして、写真店では、完成した写真プリントが顧客に手渡されると共に、プリント代金の精算が行われる。
【０００３】
顧客は、過去に注文をしたことがある画像に関する注文を希望する場合があるが、この場合には、顧客は該当する画像を見つけ出す必要がある。特に、多数の画像データがメディアに保存されている場合には、顧客が注文を希望する画像を見つけ出すのに時間がかかってしまう。そこで、この問題を解消するために、過去の注文履歴を絞り込み条件としてコマ選択画面に含まれるコマが絞り込まれる場合がある（例えば、特許文献２参照）。ここで、過去の注文履歴としては、例えばコマのファイル名、過去に注文した注文日付が用いられる。
【特許文献１】特開２００３−７５９３０号公報（図１）
【特許文献２】特開２００４−３０２７６２号公報（図１１）
【発明の開示】
【発明が解決しようとする課題】
【０００４】
しかしながら、顧客側で画像の一部を修正している場合や他の写真店で注文を行った場合には、コマのファイル名や注文日付が注文を行った時点と同じでない可能性がある。そのため、コマのファイル名や注文日付に基づいて絞り込みを行った場合には、コマの絞り込みが誤って行われることがある。つまり、メディアから読み出された画像のファイル名と注文履歴のある画像のファイル名とが同じである場合には、これらの画像が互いに異なっていても同じ画像であると誤って判別されてしまう。また、メディアから読み出された画像のファイル名と注文履歴のある画像のファイル名とが異なる場合には、これらの画像が同じであっても異なる画像であると誤って判別されてしまう。このような問題は、過去に注文した注文日付にに基づいて、注文履歴のある画像が判別される場合でも生じる。
【０００５】
そこで、本発明の主な目的は、過去に注文が行われた画像を正確に判別することができるプリント注文受付装置及びプリント注文受付方法を提供することである。
【課題を解決するための手段および発明の効果】
【０００６】
本発明のプリント注文受付装置は、写真プリントの注文を受け付けるプリント注文受付装置において、記録媒体に記録された画像データファイルを読み出すための読み出し部と、過去に注文が行われた画像に係る画像データファイルを記憶するアーカイブ手段と、前記読み出し部によって読み出された画像データファイルに係る画像と、前記アーカイブ手段によって記憶された画像データファイルに係る画像とを比較する比較手段と、前記比較手段による比較結果に基づいて、前記読み出し部によって読み出された画像データファイルに係る画像の中から、過去に注文が行われた画像と類似したリプリント画像を判別する判別手段と、前記読み出し部によって読み出された前記画像データファイルに係る画像のうち、前記判別手段によってリプリント画像と判別された画像及び前記判別手段によってリプリント画像と判別されなかった画像のいずれか一方を含む注文画面をディスプレイに表示させる注文画面表示制御手段とを備えている。
【０００７】
本発明のプリント注文受付方法は、写真プリントの注文を受け付けるプリント注文受付方法において、記録媒体に記録された画像データファイルを読み出す読み出しステップと、前記読み出しステップにおいて読み出された画像データファイルに係る画像と、過去に注文が行われた画像とを比較する比較ステップと、前記比較ステップにおける比較結果に基づいて、前記読み出しステップにおいて読み出された画像データファイルに係る画像の中から、過去に注文が行われた画像と類似したリプリント画像を判別する判別ステップと、前記読み出しステップにおいて読み出された前記画像データファイルに係る画像のうち、前記判別ステップにおいてリプリント画像と判別された画像及び前記判別ステップにおいてリプリント画像と判別されなかった画像のいずれか一方を含む注文画面をディスプレイに表示させる注文画面表示ステップと、前記注文画面に含まれる画像に対して注文情報の入力を受け付ける注文情報入力受付ステップとを備えている。
【０００８】
ここで、「過去に注文が行われた画像と類似したリプリント画像」に関して、リプリント画像は過去に注文が行われた画像と同じではなく類似していてもよいし、リプリント画像は過去に注文が行われた画像と同じであってもよい。
【０００９】
これらの構成によると、読み出し部によって読み出された画像データファイルに係る画像と、過去に注文が行われた画像とが比較されることによって、読み出し部によって読み出された画像データファイルに係る画像の中から過去に注文が行われた画像と類似したリプリント画像が判別される。そして、リプリント画像または新規の画像（リプリント画像以外の画像）のいずれか一方の画像を含む注文画面がディスプレイに表示される。このように、読み出し部によって読み出された画像データファイルに係る画像と、過去に注文が行われた画像とを比較することによって、リプリント画像を正確に判別することができる
【００１０】
本発明のプリント注文受付装置において、前記注文画面表示制御手段が、前記読み出し部によって読み出された前記画像データファイルに係る画像のうち、前記判別手段によってリプリント画像と判別された画像及び前記判別手段によってリプリント画像と判別されなかった画像の他方を含む注文画面をディスプレイに表示させてもよい。
【００１１】
この構成によると、リプリント画像または新規の画像の他方の画像を含む注文画面をディスプレイに表示することによって、顧客がプリント注文を行うのに便利になる。
【００１２】
本発明のプリント注文受付装置において、前記読み出し部によって読み出された複数の前記画像データファイル及び前記アーカイブ手段によって記憶された複数の前記画像データファイルに対して画像認識処理を行う画像認識手段をさらに備えており、前記判別手段は、前記画像認識手段によって行われた画像認識処理の結果を用いて、前記読み出し部によって読み出された画像データファイルに係る画像の中からリプリント画像を判別してもよい。
【００１３】
この構成によると、画像認識処理の結果を用いることによって、リプリント画像をより正確に判別することができる。
【００１４】
本発明のプリント注文受付装置において、前記読み出し部によって読み出された画像データファイルに係る画像と、前記アーカイブ手段によって記憶された画像データファイルに係る画像との間の類似度を示す評価データを計算する評価データ計算手段をさらに備えており、前記判別手段は、前記読み出し部によって読み出された画像データファイルに係る画像のうち、前記評価データ計算手段によって計算された評価データが閾値以上である画像をリプリント画像と判別してもよい。
【００１５】
この構成によると、読み出し部によって読み出された画像データファイルに係る画像と、アーカイブ手段によって記憶された画像データファイルに係る画像との間の類似度を示す評価データを計算し、評価データと閾値を比較することによって、リプリント画像の判別が容易になる。
【発明を実施するための最良の形態】
【００１６】
以下、本発明の好適な実施の形態について、図面を参照しつつ説明する。図１は、本発明の実施の形態に係るプリント注文受付装置を含むデジタル画像処理システムの外観斜視図である。図２は、図１に示すデジタル画像処理システムの構成を示す図である。
【００１７】
〔デジタル画像処理システム〕
図１に示すデジタル画像処理システムは、複数のプリント注文受付装置Ｒ（以下、受付装置Ｒと略称する）と、銀塩式の印画紙１に画像データのプリントを行うデジタル型の写真処理装置Ｐと、これらの間で情報のアクセスを行う通信ネットワークＮ（図２参照）とを備えている。
【００１８】
デジタル画像処理システムは、写真店に設置されるのが一般的であり、このシステムでは、デジタルカメラで撮影された画像データを保存したスマートメディアＳＭ、コンパクトフラッシュ（登録商標）ＣＦ、メモリスティックＭＳ、ＰＣカードＰＣ−Ｃや、画像データを保存したＣＤ−ＲＯＭ、ＭＯ等の記憶媒体（以下、これらをメディアＭと総称する）からの画像データに基づくプリント注文を受付装置Ｒで受付けることができる。
【００１９】
また、このシステムでは、この受付時に発行される受付証ｒｅ（図１７参照）を顧客が図１に示すサービスカウンターＣで写真店の担当者に提示することにより、その担当者が受付証ｒｅにプリントされた情報に基づき、完成した写真プリントを受付証ｒｅを提示した顧客に対して代金と引き換えに手渡す処理が行われる。
【００２０】
〔写真処理装置Ｐ〕
まず、写真処理装置Ｐの構成について、図１及び図２を参照して説明する。写真処理装置Ｐは、テーブル上に配置されたオペレート部Ｐｏと現像処理部Ｐｄとが一体化された装置本体と、この装置本体から分離した位置のスキャナユニットＰｓとを備えている。
【００２１】
オペレート部Ｐｏには、印画紙マガジン５からの印画紙１をプリントサイズに切断してデジタル型の露光ヘッド６に供給する露光系が内装されている。また、オペレート部Ｐｏは、ＣＤ−ＲＯＭまたはＤＶＤからの情報の読出し、及び、ＣＤ−Ｒに対する情報の書き込みを行うコンボドライブ１０と、スマートメディアＳＭ、コンパクトフラッシュ（登録商標）ＣＦ及びＭＯ等の各種メディアに対応した複数のマルチドライブ１１と、画像データや各種情報の表示を行うディスプレイ１２と、キーボード１３と、マウス１４と、マイクロプロセッサを有する制御部１５を備えている。
【００２２】
制御部１５は、汎用コンピュータを用いて構成されており、各種のソフトウエアの作動が可能になっている。制御部１５は、画像処理ソフトによって、スキャナユニットＰｓでデジタル信号化された画像データの補正や、必要な場合には画像データのトリミングを行い、この処理の結果を制御部１５の半導体メモリやハードディスクに保存し、印画紙１に対する画像データの露光時に露光ヘッド６に転送することができる。
【００２３】
また、現像処理部Ｐｄには、露光ヘッド６で露光された印画紙１の現像処理を行う現像処理槽７が内装されている。現像処理部Ｐｄでは、現像処理槽７で現像処理が行われた印画紙１が、乾燥された後で、現像処理部Ｐｄの上面の横送りコンベア８に送出される。そして、横送りコンベア８からの印画紙１が仕分けコンベア９に送出される。
【００２４】
スキャナユニットＰｓは、底部にキャスタを備えた筐体１７の上面に対して交換自在にフィルムキャリア１８を備えると共に、筐体内部に光学レンズやＣＣＤ等の光電変換素子を有する光電変換部（図示しない）を備えている。また、筐体内部に備えた光源から光ファイバーを介して送られる光線をフィルムキャリア１８の上面側に導くアーム１９を備えている。
【００２５】
そして、写真フィルム２のスキャニングを行う場合には、ネガティブフィルムまたはポジティブフィルムをフィルムキャリア１８にセットし、このフィルムキャリア１８で設定速度で移動させながらアーム１９の先端から下方に向けて照射する光線により、写真フィルム２の各コマの画像データを光電変換部でデジタル信号化し、ケーブル２０を介して制御部１５に転送し得るよう構成されている。
【００２６】
〔受付装置Ｒ〕
次に、受付装置Ｒの構成を図３を参照して説明する。受付装置Ｒは、図３に示すように、筐体２１の上面に配置され且つタッチパネル２２が形成された液晶型のディスプレイ２３と、筐体２１の前面に設けられた媒体ドライブとしての複数のメディアドライブ２４と、筐体２１の上面におけるディスプレイ２３より前面側に設けられ且つ受付証ｒｅを発行する熱転写式の受付証プリンタ２５と、筐体２１の内部に内蔵されたコントローラ２６とを備えている。なお、複数のメディアドライブ２４は、スマートメディアＳＭ、コンパクトフラッシュ（登録商標）ＣＦ、メモリスティックＭＳ、メディアＭのアタッチメントとして機能するＰＣカードＰＣ−Ｃ、ＣＤ−ＲＯＭ、ＭＯ等のそれぞれに対応している。
【００２７】
コントローラ２６は、メディアドライブ２４との情報のアクセス及びタッチパネル２２との情報のアクセスが可能であると共に、ディスプレイ２３に対する画像データの出力及び受付証プリンタ２５に対する情報の出力が可能である。また、コントローラ２６は、作業領域が形成されるＲＡＭ型の半導体メモリや、プログラムやパラメータが保存されるＲＯＭ型の半導体メモリの総称としてのメモリ（図示しない）を備えると共に、ハードウエアまたはソフトウエア、あるいは、ハードウエアとソフトウエアとの組合わせによって、画像データ記憶部８１と、アーカイブ部８２と、画像認識部８３と、評価データ計算部８４と、閾値記憶部８５と、判別部８６と、抽出部８７と、制御部８８とが形成されている（図４参照）。
【００２８】
次に、受付装置Ｒのコントローラ２６の構成について、図４を参照して説明する。図４は、受付装置のコントローラの構成を示すブロック図である。
【００２９】
画像データ記憶部８１は、メディアドライブ２４によって読み出された複数の画像データファイルを記憶する。
【００３０】
アーカイブ部８２は、過去に注文が行われた画像に係る画像データファイルを記憶する。
【００３１】
画像認識部８３は、画像データ記憶部８１及びアーカイブ部８２に記憶された画像データファイルに対して画像認識処理を行うことによって、各画像データファイルに係る画像の内容を認識することができる。本実施の形態では、画像認識部８３は、各画像について、画像データとその度数との関係を示すヒストグラムを作成する。ここで、図５は、各画像のヒストグラムの一例を示している。画像認識部８３では、横軸にＲ、ＧまたはＢの画像データをとり、縦軸に各画像データの度数をとったときの度数分布がＲＧＢごとに作成される。
【００３２】
評価データ計算部８４は、画像認識部８３により作成された各ヒストグラムに基づいて、互いに類似した画像を判別するための評価データをＲＧＢ毎に計算する。本実施の形態では、評価データ計算部８４は、メディアドライブ２４によって読み出された複数の画像のそれぞれが、アーカイブ部８２に記憶された画像と類似しているか否かを判別するための評価データを計算する。
【００３３】
ここで、評価データとは、例えばＳＮ比（Signal-to-Noise ratio ）のことである。ＳＮ比は、一般的には、分析目的に由来する信号（応答値）Ｓと、それ以外の要因に基づく信号（通常はノイズ）Ｎとの強度比Ｓ／Ｎを指すが、ここでは、品質工学の分野で用いるＳＮ比の概念を指している。すなわち、品質工学におけるＳＮ比とは、目標に対して対象がどれだけばらついているかを示し、ＳＮ比の値が大きいほど、ばらつきが少ないことを示す。このような品質工学におけるＳＮ比の概念を本実施形態に導入した場合、ＳＮ比は、一方のデータ（画像）に対する他方のデータ（画像）のばらつき、つまり、一方のデータに他方のデータがどれだけ近いかを示すことになり、ＳＮ比の値が大きいほど、上記両データ（画像）は類似していることになる。
【００３４】
本実施形態において扱うＳＮ比は、具体的には、以下の式のη（ｄｂ）で示される。本実施の形態では、８ビットの画像データを用いてＳＮ比を求めるため、ｎ＝２５５である。
【００３５】
【数１】
2006323123.tif 000003
【００３６】
閾値記憶部８５は、２つの画像が互いに類似した画像か否かを判別する際に用いられる評価データの閾値をＲＧＢ毎に記憶する。本実施の形態では、閾値記憶部８５は、ＳＮ比の閾値をＲＧＢ毎に記憶する。
【００３７】
判別部８６は、評価データ計算部８４で計算されたＲＧＢ毎のＳＮ比の値と、閾値記憶部８５に記憶されたＲＧＢ毎の閾値とを比較することによって、メディアドライブ２４によって読み出された複数の画像の中から、アーカイブ部８２に記憶された過去に注文が行われた画像と類似した画像（過去に注文が行われた画像と同じ画像を含んでおり、リプリント画像と称する）を判別する。ここで、判別部８６は、ＲＧＢ毎の各ＳＮ比の値が全て閾値よりも大きい場合に、２つの画像は類似していると判断する。
【００３８】
抽出部８７は、メディアドライブ２４が読み出した画像データファイルの中から、判別部８６によってリプリント画像と判別された画像に係る画像データファイルまたはそれ以外の画像データファイルを抽出する。
【００３９】
制御部８８は、ディスプレイ２３における表示を制御し、プリント注文が行われる際に種々の画面をディスプレイ２３に表示させる。ここで、顧客が画像データ記憶部８１に記憶された複数の画像データファイルに係る画像の全てが表示されることを希望する場合には、制御部８８は、それらの画像の全てを含む「プリント枚数設定画面」を表示する。また、顧客が画像データ記憶部８１に記憶された複数の画像データファイルに係る画像のうちのリプリント画像だけが表示されることを希望する場合には、制御部８８は、リプリント画像だけを含む「プリント枚数設定画面」を表示する。また、顧客が画像データ記憶部８１に記憶された複数の画像データファイルに係る画像のうちのリプリント画像以外の画像だけが表示されることを希望する場合には、制御部８８は、リプリント画像以外の画像だけを含む「プリント枚数設定画面」を表示する。
【００４０】
〔受付装置Ｒでの注文受付〕
次に、受付装置Ｒにおけるプリント注文の受付の手順について、図６〜図１７を参照して説明する。図６は、受付装置におけるプリント注文の受付の手順を示すフローチャートである。図７〜図１６は、注文受付の際に受付装置のディスプレイに表示される表示画面の一例を示す図である。図１７は、受付証の一例を示す図である。
【００４１】
受付装置Ｒでは、待機状態においては、図７に示すように、受付装置Ｒの機能や写真店のロゴマーク等を含む待機画面（初期画面）が表示される（ステップＳ１）。そして、顧客が画像のプリントの注文を行う場合には、ディスプレイ２３のタッチパネル２２に指を接触させることにより、図８に示す「サービス選択画面」が表示される（ステップＳ２）。この画面には、「サービスを選択してください」とのメッセージと共に、プリントの受付を行わせるプリント受付スイッチ部４５ａと、メディア保存の受付を行わせるメディア保存受付スイッチ部４５ｂとが表示され、顧客に選択を求める。なお、メディア保存受付スイッチ部４５ｂが操作された場合には、メディアＭに保存された画像データを、写真処理装置Ｐに転送して、写真処理装置ＰにおいてＣＤ−ＲやＭＯに保存する処理が行われるが、プリントを受付ける処理と基本的に同じ処理形態であるので、詳細な説明は省略する。
【００４２】
「サービス選択画面」が表示された状態で、プリント受付スイッチ部４５ａが操作された場合には、図９に示す「メディア選択画面」が表示される（ステップＳ３）。この「メディア選択画面」には、「メディアを選択してください」とのメッセージと共に、メディアを選択する複数のスイッチ部４７が表示され、顧客に選択を求める。この「サービス選択画面」の下側には処理を中止する中止ボタン４８と、前の処理に戻る戻るボタン４９とが表示され、これら中止ボタン４８と戻るボタン４９とは、後述する処理においても同じ位置に表示され、操作することにより同様に機能する。
【００４３】
そして、「メディア選択画面」が表示された状態で、顧客が使用するメディアに対応するスイッチ部４７が操作された場合には、図１０に示す「メディアセット案内画面」が表示される（ステップＳ４）。この画面には、「メディアをセットしてＯＫボタンを押してください」とのメッセージと共に、対応するメディアをセットする際の具体的な画像が表示される。
【００４４】
「メディアセット案内画面」にしたがってメディアＭがセットされ、顧客がＯＫボタン５０を操作することで、セットされたメディアＭから画像データを読出した後（ステップＳ５）、図１１に示す「プリントサイズ選択画面」が表示される（ステップＳ６）。この画面には、「プリントサイズを選択してください」とのメッセージと共に、複数のプリントサイズに対応したサイズ指定スイッチ部５１が表示され、顧客に選択を求める。「プリントサイズ選択画面」のサイズ指定スイッチ部５１には、プリントサイズを示す「Ｌ版」や「２Ｌ版」の文字の他に、プリントサイズを示す数値、プリントの単価及びプリントの基本料金などが表示される。
【００４５】
そして、「プリントサイズ選択画面」が表示された状態で、いずれか１つのサイズ指定スイッチ部５１が操作された場合には、図１２に示す「表示画像選択画面」が表示される（ステップＳ７）。この画面には、「表示画像を選択してください」とのメッセージと共に、各表示画像に対応した表示画像指定スイッチ部５２が表示される。本実施の形態では、選択可能な表示画像としては、全ての画像、リプリント画像のみ、リプリント画像以外の３つがある。
【００４６】
そして、「表示画像選択画面」が表示された状態で、いずれか１つの表示画像指定スイッチ部５２が操作された場合には、図１３に示す注文画面である「プリント枚数設定画面」が表示される（ステップＳ８）。この画面には、「プリント枚数を設定してください」とのメッセージと共に、メディアドライブ２４によって読み出された複数の画像データファイルに係る画像がサムネイル画像Ｓとして表示される。
【００４７】
ここで、「表示画像選択画面」で「全ての画像」が選択された場合には、画像データ記憶部８２に記憶された画像データファイルに係る画像が、撮影された順に（ファイル番号の小さい方から順に）、サムネイル画像Ｓとして表示された「プリント枚数設定画面」が表示される。また、「表示画像選択画面」で「リプリント画像のみ」が選択された場合には、画像データ記憶部８２に記憶された画像データファイルのうちのリプリント画像だけが、サムネイル画像Ｓとして表示された「プリント枚数設定画面」が表示される。また、「表示画像選択画面」で「リプリント画像以外」が選択された場合には、画像データ記憶部８２に記憶された画像データファイルのうちのリプリント画像以外の画像だけが、サムネイル画像Ｓとして表示された「プリント枚数設定画面」が表示される。なお、「表示画像選択画面」で各表示画像が選択された場合の「プリント枚数設定画面」の表示手順については後で詳述する。
【００４８】
注文画面である「プリント枚数設定画面」では、各サムネイル画像Ｓのフレーム５４の上段に画像データを特定するファイルの名称（ファイル番号）が表示され、フレーム５４の下段にはプリント枚数を示す数値を表示する枚数表示エリア５５が設けられている。また、このプリント枚数表示エリア５５を挟む位置にプリント枚数を１枚ずつ増加させる＋ボタン５６と、プリント枚数を１枚ずつ減少させる−ボタン５６とが表示されている。
【００４９】
また、この画面下端部近傍には、中止ボタン４８と、戻るボタン４９と、ＯＫボタン５０（複数の「プリント枚数設定画面」が表示される場合には、最終画面以外にはＯＫボタンの代わりに次へボタン５０が表示される）と、全てのプリント枚数を１枚ずつ増加させる全体＋ボタン５７と、全てのプリント枚数を１枚ずつ減少させる全体−ボタン５７とが表示されると共に、その中央位置に情報エリアＤＥが表示される。情報エリアＤＥには、選択されたプリントサイズの情報、設定されたプリントの合計枚数、プリントに要する合計金額、ページを示す数字が表示される。
【００５０】
「プリント枚数設定画面」が表示された状態で、全てのプリントすべき画像データの選択が終了し、ＯＫボタン５０が操作されると、図１４に示す「注文内容確認画面」が表示される（ステップＳ９）。この画面には「注文の内容を確認してください」とのメッセージと共に、顧客が受付装置Ｒから入力したプリントの詳細と金額とを一覧化した確認シート６５が表示される。そして、この表示内容に誤りがなければＯＫボタン５０を操作することで、オーダ情報と画像データとにＩＤ情報を付与した形態のフォルダが新たに生成され、これらの情報が写真処理装置Ｐに送信される。
【００５１】
「注文内容確認画面」が表示された状態で、ＯＫボタン５０が操作されると、図１５に示す「メディア抜取り案内画面」が表示される（ステップＳ１０）。この画面には「メディアを抜取ってください」とのメッセージが表示され、この表示にしたがいメディアを抜取り、ＯＫボタン５０を操作することで、図１６に示す「受付証発行案内画面」が表示される（ステップＳ１１）。この画面には「受付証を発行中です、しばらくお待ちください」及び「受付証はカウンタに持参してください」のメッセージが表示され、所定の時間が経過すると受付証プリンタ２５で受付証ｒｅがプリントされて送出される（ステップＳ１２）。このように受付証ｒｅが発行されると、受付処理の全てが終了して待機画面に復帰する。
【００５２】
受付証ｒｅは、図１７に示すように、受付証本体と、お客様控えとが連なった形態となっており、お客様名、電話番号、受付ＩＤ、端末ＩＤ、受付日、注文番号等の他に注文の詳細を示す内容がプリントされている。なお、即日に写真のプリントを手渡せない場合には、受付証本体と、お客様控えとを切り離し、受付証本体をＤＰ店の控えとして残し、お客様控えを顧客に手渡す処理も可能にしている。
【００５３】
次に、「プリント枚数設定画面」の表示手順について、図１８〜図２２を参照しつつ具体例に基づいて説明する。図１８は、「プリント枚数設定画面」の表示手順を示すフローチャートである。図１９は、各画像の類似関係を示す図である。図２０は、「表示画像選択画面」で「全ての画像」が選択された場合の「プリント枚数設定画面」の表示手順を示す図である。図２１は、「表示画像選択画面」で「リプリント画像のみ」が選択された場合の「プリント枚数設定画面」の表示手順を示す図である。図２２は、「表示画像選択画面」で「リプリント画像以外」が選択された場合の「プリント枚数設定画面」の表示手順を示す図である。
【００５４】
まず、メディアドライブ２４によって複数の画像データファイルが読み出され、それらの画像データファイルが画像データ記憶部８１に記憶される（ステップＳ１０１）。本実施の形態では、図１９に示すように、アーカイブ部８２にファイル番号００１〜０１０の１０個の画像に係る画像データファイルが記憶されていると共に、メディアドライブ２４によってファイル番号１０１〜１２０の２０個の画像に係る画像データファイルが読み出された場合について説明する。
【００５５】
そして、画像認識部８３は、メディアドライブ２４によって読み出された複数の画像データファイル及びアーカイブ部８２に記憶された複数の画像データファイルに対する画像認識処理を行うことによって、ＲＧＢ別のヒストグラムを作成する（ステップＳ１０２）。その後、画像認識部８３により作成された各ヒストグラムに基づいて、互いに類似した画像を判別するためのＳＮ比がＲＧＢ毎に計算される（ステップＳ１０３）。ここで、ＳＮ比は、メディアドライブ２４によって読み取られた複数の画像のそれぞれに関して、アーカイブ部８２に記憶された各画像毎に計算される。
【００５６】
本実施の形態では、最初に、メディアドライブ２４によって読み取られたファイル番号１０１の画像に関して、アーカイブ部８２に記憶されたファイル番号００１〜０１０の各画像と互いに類似しているかを判断するためのＳＮ比が計算される。次に、ファイル番号１０２の画像に関して、ファイル番号００１〜０１０の各画像と互いに類似しているかを判断するためのＳＮ比が計算される。その後、同様に、ファイル番号１０３〜１２０の画像に関して、ファイル番号００１〜０１０の各画像と互いに類似しているかを判断するためのＳＮ比が計算される。
【００５７】
そして、上述で計算された各ＳＮ比と閾値とがそれぞれ比較され、メディアドライブ２４によって読み取られた複数の画像のそれぞれに関して、アーカイブ部８２に記憶された各画像と類似しているか否かが判断され、アーカイブ部８２に記憶された画像のいずれかと類似している画像がリプリント画像と判別される（ステップＳ１０４）。ここで、図１９は、メディアドライブ２４によって読み出されたファイル番号１０１〜１２０の２０個の画像のうち、ファイル番号１０３、１０４、１０６、１０９、１１４、１１８の画像が、アーカイブ部８２に記憶されたファイル番号００１、００２、００４、００６、００８、０１０の画像とそれぞれ類似していることを示している。
【００５８】
その後、受付装置Ｒのディスプレイ２３に「表示画像選択画面」が表示される（ステップＳ１０５）。
【００５９】
ここで、「表示画像選択画面」が表示された状態で、顧客が「全ての画像」に対応した表示画像指定スイッチ部５２を操作すると（Ｓ１０６：ＹＥＳ）、画像データ記憶部８１に記憶された画像データファイルに係る画像が、撮影された順に（ファイル番号の小さい方から順に）、サムネイル画像Ｓとして表示された「プリント枚数設定画面」が表示される（ステップＳ１０７）。
【００６０】
つまり、図１９に示すファイル番号１０１〜１２０の２０個の画像に係る画像データファイルが画像データ記憶部８１に記憶されている場合には、図２０（ａ）に示すように、ファイル番号００１〜００８の８個の画像をサムネイル画像とする「プリント枚数設定画面」が表示される。そして、この「プリント枚数設定画面」におけるプリント枚数の設定が完了し、次へボタン５０が操作されると、図２０（ｂ）に示すように、ファイル番号００９〜０１６の８個の画像をサムネイル画像とする「プリント枚数設定画面」が表示される。また、この「プリント枚数設定画面」におけるプリント枚数の設定が完了し、次へボタン５０が操作されると、図２０（ｃ）に示すように、ファイル番号０１７〜０２０の４個の画像をサムネイル画像とする「プリント枚数設定画面」が表示される。
【００６１】
一方、「表示画像選択画面」が表示された状態で、顧客が「リプリント画像のみ」に対応した表示画像指定スイッチ部５２を操作すると（Ｓ１０６：ＮＯ、Ｓ１０８：ＹＥＳ）、画像データ記憶部８１に記憶された画像データファイルの中から、リプリント画像と判別された画像に係る画像データファイルが抽出される（ステップＳ１０９）。その後、リプリント画像と判別された画像だけがサムネイル画像Ｓとして表示された「プリント枚数設定画面」が表示される。つまり、図２１に示すように、図１９において、アーカイブ部８２に記憶された画像と類似していると判断されたファイル番号１０３、１０４、１０６、１０９、１１４、０１８の６個の画像をサムネイル画像とする「プリント枚数設定画面」が表示される（ステップＳ１１０）。
【００６２】
また、「表示画像選択画面」が表示された状態で、顧客が「リプリント画像以外」に対応した表示画像指定スイッチ部５２を操作すると（Ｓ１０８：ＮＯ）、画像データ記憶部８１に記憶された画像データファイルの中から、リプリント画像と判別された画像以外の画像に係る画像データファイルが抽出される（ステップＳ１１１）。その後、リプリント画像と判別された画像以外の画像だけがサムネイル画像Ｓとして表示された「プリント枚数設定画面」が表示される（ステップＳ１１２）。
【００６３】
つまり、図２２（ａ）に示すように、図１９において、アーカイブ部８２に記憶された画像と類似していないと判断されたファイル番号１０１、１０２、１０５、１０７、１０８、１１０〜１１２の８個の画像をサムネイル画像とする「プリント枚数設定画面」が表示される。そして、この「プリント枚数設定画面」におけるプリント枚数の設定が完了し、次へボタン５０が操作されると、図２２（ｂ）に示すように、ファイル番号１１３、１１５〜１１７、１１９、１２０の６個の画像をサムネイル画像とする「プリント枚数設定画面」が表示される。
【００６４】
そして、上述した「プリント枚数設定画面」が表示された状態で、プリント枚数の設定が完了すると（ステップＳ１１３）、「注文内容確認画面」が表示される（ステップＳ１１４）。
【００６５】
以上説明したように、本実施の形態の受付装置Ｒでは、メディアドライブ２４によって読み出された画像データファイルに係る画像と、アーカイブ部８２に記憶された画像データファイルに係る過去に注文が行われた画像とが比較されることによって、メディアドライブ２４によって読み出された画像データファイルに係る画像の中から過去に注文が行われた画像と類似したリプリント画像が判別される。そして、「表示画像選択画面」において「リプリント画像」が選択されると、リプリント画像だけを含む「プリント枚数設定画面」が表示され、「表示画像選択画面」において「リプリント画像以外」が選択されると、新規の画像（リプリント画像以外の画像）だけを含む「プリント枚数設定画面」が表示される。このように、メディアドライブ２４によって読み出された画像データファイルに係る画像と、過去に注文が行われた画像とを比較することによって、リプリント画像を正確に判別することができる
【００６６】
また、例えば、メディアドライブ２４によって連写シーン等の撮影内容が類似している複数の画像に係る画像データファイルが読み出された場合であって、且つ、連写シーン等の撮影内容が類似している複数の画像のうちの１個の画像だけの注文が過去に行われていた場合に、「表示画像選択画面」において「リプリント画像以外」が選択されると、その１個の画像だけでなく、類似の画像に関しても過去に注文されたものとして表示対象から外される。従って、不要な画像が表示されることが少なくなる。
【００６７】
また、メディアドライブ２４によって読み出された画像データファイル及びアーカイブ部８２に記憶された画像データファイルに対する画像認識処理の結果を用いることによって、リプリント画像をより正確に判別することができる。
【００６８】
また、メディアドライブ２４によって読み出された画像データファイルに係る画像と、アーカイブ部８２によって記憶された画像データファイルに係る画像との間の類似度を示す評価データを計算し、評価データと閾値を比較することによって、リプリント画像の判別が容易になる。
【００６９】
なお、本実施の形態において、リプリント画像に係る画像データファイルが抽出された後において、その画像データファイルだけを異なるメディアＭに保存すれば、画像データファイルの整理に有効である。
【００７０】
以上、本発明の好適な実施の形態について説明したが、本発明は上述の実施の形態に限られるものではなく、特許請求の範囲に記載した限りにおいて様々な設計変更が可能なものである。例えば、上述の実施の形態では、メディアドライブ２４によって読み出された画像データファイル及びアーカイブ部８２に記憶された画像データファイルに対する画像認識処理が行われ、これらの画像間の類似度を示す評価データと閾値とを比較することによってリプリント画像が判別されているが、リプリント画像の判別方法はその他の方法であってもよい。従って、画像認識処理が行われることなく、リプリント画像が判別されてもよい。
【図面の簡単な説明】
【００７１】
【図１】本発明の実施の形態に係るプリント注文受付装置を含むデジタル画像処理システムの外観斜視図である。
【図２】図１に示すデジタル画像処理システムの構成を示す図である。
【図３】図１に示す受付装置の構成を示す図である。
【図４】受付装置のコントローラの構成を示すブロック図である。
【図５】各画像のヒストグラムの一例を示している。
【図６】受付装置におけるプリント注文の受付の手順を示すフローチャートである。
【図７】注文受付の際に受付装置のディスプレイに表示される表示画面の一例を示す図である。
【図８】注文受付の際に受付装置のディスプレイに表示される表示画面の一例を示す図である。
【図９】注文受付の際に受付装置のディスプレイに表示される表示画面の一例を示す図である。
【図１０】注文受付の際に受付装置のディスプレイに表示される表示画面の一例を示す図である。
【図１１】注文受付の際に受付装置のディスプレイに表示される表示画面の一例を示す図である。
【図１２】注文受付の際に受付装置のディスプレイに表示される表示画面の一例を示す図である。
【図１３】注文受付の際に受付装置のディスプレイに表示される表示画面の一例を示す図である。
【図１４】注文受付の際に受付装置のディスプレイに表示される表示画面の一例を示す図である。
【図１５】注文受付の際に受付装置のディスプレイに表示される表示画面の一例を示す図である。
【図１６】注文受付の際に受付装置のディスプレイに表示される表示画面の一例を示す図である。
【図１７】受付証の一例を示す図である。
【図１８】「プリント枚数設定画面」の表示手順を示すフローチャートである。
【図１９】各画像の類似関係を示す図である。
【図２０】「表示画像選択画面」で「全ての画像」が選択された場合の「プリント枚数設定画面」の表示手順を示す図である。
【図２１】「表示画像選択画面」で「リプリント画像のみ」が選択された場合の「プリント枚数設定画面」の表示手順を示す図である。
【図２２】「表示画像選択画面」で「リプリント画像以外」が選択された場合の「プリント枚数設定画面」の表示手順を示す図である。
【符号の説明】
【００７２】
Ｒ  プリント注文受付装置
Ｐ  写真処理装置
２２  タッチパネル
２３  ディスプレイ
２４  メディアドライブ（読み出し部）
８１  画像データ記憶部
８２  アーカイブ部（アーカイブ手段）
８３  画像認識部
８４  評価データ計算部
８５  閾値記憶部
８６  判別部（比較手段；判別手段）
８７  抽出部
８８  制御部（注文画面表示制御手段）
【図１】
2006323123.tif 000004
【図２】
2006323123.tif 000005
【図３】
2006323123.tif 000006
【図４】
2006323123.tif 000007
【図５】
2006323123.tif 000008
【図６】
2006323123.tif 000009
【図７】
2006323123.tif 000010
【図８】
2006323123.tif 000011
【図９】
2006323123.tif 000012
【図１０】
2006323123.tif 000013
【図１１】
2006323123.tif 000014
【図１２】
2006323123.tif 000015
【図１３】
2006323123.tif 000016
【図１４】
2006323123.tif 000017
【図１５】
2006323123.tif 000018
【図１６】
2006323123.tif 000019
【図１７】
2006323123.tif 000020
【図１８】
2006323123.tif 000021
【図１９】
2006323123.tif 000022
【図２０】
2006323123.tif 000023
【図２１】
2006323123.tif 000024
【図２２】
2006323123.tif 000025